(57)【要約】【課題】離型フィルム剥離の際に生じる光学部材の帯電状態を、光学部材内に設けた導電層によって制御して、光学部材を光学表示ユニット（液晶セル）に好適に貼り合わせることができる積層光学製品、光学表示装置、および光学表示製品の製造方法を提供することにある。【解決手段】離型フィルム１２と、当該離型フィルム１２に粘着剤層１４を介して設けられる光学部材１１とを有する積層光学製品１であって、光学部材１１は、偏光子１１ａと、導電層１１ｂ１とを有し、当該導電層１１ｂ１の表面抵抗値が１０２Ω／□以上１０６Ω／□以下であることを特徴とする。【選択図】図１
2009157363.tif 000002
【特許請求の範囲】
【請求項１】
離型フィルムと、当該離型フィルムに粘着剤層を介して設けられた光学部材とを有する積層光学製品であって、
前記光学部材は、偏光子と、導電層とを有し、当該導電層の表面抵抗値が１０２Ω／□以上１０６Ω／□以下である積層光学製品。
【請求項２】
前記導電層は、膜厚が７０ｎｍ以上５００ｎｍ以下である請求項１に記載の積層光学製品。
【請求項３】
前記光学部材は、偏光子を保護する偏光子保護フィルムをさらに有し、
前記導電層は、偏光子保護フィルムの表面に設けられた請求項１又は２に記載の積層光学製品。
【請求項４】
前記導電層が、前記偏光子保護フィルムの偏光子側の表面に設けられた請求項３に記載の積層光学製品。
【請求項５】
前記偏光子保護フィルムは、オレフィン系樹脂フィルム、ポリエステル系樹脂フィルム、及びポリカーボネート系樹脂フィルムからなる群から選択された少なくとも１種で構成される請求項３又は４に記載の積層光学製品。
【請求項６】
光学表示ユニットと、当該光学表示ユニットに粘着剤層を介して設けられた光学部材とを有する光学表示装置であって、
前記光学部材は、偏光子と、導電層とを有し、当該導電層の表面抵抗値が１０２Ω／□以上１０６Ω／□以下である光学表示装置。
【請求項７】
請求項６に記載の光学表示装置を製造する方法であって、
当該製造方法は、請求項１に記載の積層光学製品から、離型フィルムを剥離することにより露出した粘着剤層を介して光学部材を光学表示ユニットに、当該光学部材を当該光学表示ユニットに向かって押圧手段で押圧することで、貼り合せる貼合工程を有する光学表示装置の製造方法。
【請求項８】
前記押圧手段は、弾性ローラである請求項７に記載の光学表示装置の製造方法。
【請求項９】
前記光学表示装置の製造方法は、吸着固定手段で、前記積層光学製品を吸着固定する吸着固定工程をさらに有し、
前記貼合工程は、前記吸着固定手段に吸着固定された積層光学製品から離型フィルムを剥離した後、当該離型フィルムの剥離により露出した粘着剤層を介して光学部材を光学表示ユニットに、当該光学部材を当該光学表示ユニットに向かって当該吸着固定手段で押圧することで、貼り合せる請求項７に記載の光学表示装置の製造方法。
【発明の詳細な説明】
【技術分野】
【０００１】
本発明は、離型フィルムと、当該離型フィルムに粘着剤層を介して設けられた光学部材とを有する積層光学製品に関する。また、光学表示ユニットと、当該光学表示ユニットに粘着剤層を介して設けられた光学部材とを有する光学表示装置に関する。また、当該光学表示装置の製造に用いられる光学表示装置の製造方法に関する。
【背景技術】
【０００２】
従来の光学表示装置（液晶表示装置）の製造方法を図１０に概念的に示す。まず、光学フィルム製造メーカにおいて、光学部材を有する長尺のシート製品をロール原反として製造し（＃１）、所定サイズにスリットする（＃２）。この光学部材として、例えば、液晶表示装置に用いられる偏光板、偏光板と位相差板の積層フィルム等がある。次いで、スリットされた長尺の原反を、光学表示ユニット（液晶セル）のサイズに合わせて定尺切断し（＃３）、定尺切断された枚葉のシート製品を外観検査し（＃４）、完成品検査をする（＃５）。次いで、枚葉のシート製品の４方の端面を端面加工する（＃６）。次いで、クリーンルーム環境において、枚葉のシート製品をクリーン包装し（＃７）、輸送用の梱包をする（＃８）。以上のようにして枚葉のシート製品が製造され、パネル加工メーカに輸送される。
【０００３】
パネル加工メーカでは、枚葉のシート製品を梱包解体し（＃１１）、輸送中あるいは梱包解体時に生じた傷、汚れ等を検査するために外観検査をする（＃１２）。検査で良品判定された枚葉のシート製品は、次工程に搬送される。枚葉のシート製品が貼り合わされる光学表示ユニット（液晶セル）は、予め製造され、この光学表示ユニット（液晶セル）は、貼り合わせ工程の前に洗浄される（＃１３）。
【０００４】
枚葉のシート製品と光学表示ユニット（液晶セル）を貼り合わせて光学表示装置を形成する（＃１４）。枚葉のシート製品から粘着剤を残して離型フィルムが剥離され、粘着剤を貼り合わせ面として光学表示ユニット（液晶セル）の一方の面に貼り合わせる。さらに、光学表示ユニット（液晶セル）の他方の面にも同様に貼り合わせることができる。
【０００５】
また、特開２００７−１４００４６号公報（特許文献１）の製造方法が知られている。この製造方法は、光学部材を有するシート製品が巻回されたロール原反からシート製品を繰り出し、シート製品の欠陥を検出し、この検出結果に基づいてシート製品を切断し、枚葉のシート製品に加工する。次いで離型フィルムが剥離された後に光学部材を液晶セルに貼り合わせる。
【０００６】
また、特開２００５−３７４１６号公報（特許文献２）の製造方法が知られている。この製造方法は、シート製品のうち離型フィルムを残して、他の光学部材（例えば偏光板）を切断し、この離型フィルムによってシート製品の連続性を維持させておく。そして、この離型フィルムを剥離しながら、粘着剤を介して光学部材を光学表示ユニット（液晶セル）に貼り合せる方法である。
【０００７】
上述の従来の枚葉シート製品の貼合わせ方法、および特許文献１、２において、光学部材から離型フィルムを剥離した際に、光学部材が帯電する。かかる帯電状態の光学部材を光学表示ユニット（液晶セル）に貼り合わせると、光学表示ユニット（液晶セル）に破壊等の障害を与える恐れがある。また、帯電状態の光学部材は扱い難く、光学表示ユニット（液晶セル）との貼り合わせを良好に行うことができない。  
【０００８】
また、特開２００１−１４７３２０号公報（特許文献３）が知られている。特許文献３において、偏光子保護フィルムであるポリエステルフィルムの一方面に、表面抵抗が１×１０１２Ω以下の塗布層を形成し、その反対面に粘着剤を介して偏光子を貼着した積層構成が記載され、この塗布層が偏光子保護フィルムの表面に設けられる構成である。しかしながら、この積層構成には、離型フィルムが設けられておらず、特許文献３は、上述したような離型フィルムの剥離による帯電問題や、光学表示ユニット（液晶セル）との貼り合わせ問題を何ら解決するものではない。
【０００９】
【特許文献１】特開２００７−１４００４６号公報
【特許文献２】特開２００５−３７４１６号公報
【特許文献３】特開２００１−１４７３２０号公報
【発明の開示】
【発明が解決しようとする課題】
【００１０】
本発明は、上記の実情に鑑みてなされたものであって、その目的は、離型フィルム剥離の際に生じる光学部材の帯電状態を、光学部材内に設けた導電層によって制御して、光学部材を光学表示ユニット（液晶セル）に好適に貼り合わせることができる積層光学製品、光学表示装置、および光学表示装置の製造方法を提供することにある。
【課題を解決するための手段】
【００１１】
上記課題を解決するために、鋭意研究を重ねた結果、以下の本発明を完成するに至ったものである。
【００１２】
本発明は、離型フィルムと、当該離型フィルムに粘着剤層を介して設けられる光学部材とを有する積層光学製品であって、
前記光学部材は、偏光子と、導電層とを有し、当該導電層の表面抵抗値が１０２Ω／□以上１０６Ω／□以下であることを特徴とする。
【００１３】
この構成によれば、積層光学製品は、離型フィルムと、当該離型フィルムに粘着剤層を介して設けられる光学部材と、を少なくとも有する。また、積層光学製品は、離型フィルムが設けられる表面と反対の表面に、弱粘着剤層を介してあるいは直接に光学部材に設けられる表面保護部材をさらに有してもよい。この表面保護部材は、光学部材表面の保護のために設けられるものであり、例えば光学表示装置に組み込まれる際には剥離される。光学部材は、偏光子と、導電層とを有する。積層光学製品は、例えば、位相差板、輝度向上フィルム、視角補償フィルム、光拡散フィルム、配向フィルム等をさらに有していてもよい。
【００１４】
上記導電層の表面抵抗値が、１０２Ω／□以上１０６Ω／□以下である。導電層の表面抵抗値を１０６Ω／□以下にすることで、離型フィルム剥離時の光学部材の帯電の程度を減少させ、貼り合わせ時の光学表示ユニット（液晶セル）への影響、例えば液晶セルの回路破壊、液晶の配向不良、ドット抜け等を好適に防止できる。また、導電層の表面抵抗値を１０２Ω／□以上にすることで、離型フィルム剥離時の光学部材の帯電を程よく生じさせて、光学部材を弾性ローラ等の押圧手段に好適に密着させることができ、光学表示ユニット（液晶セル）との貼り合わせを良好に行える。また、導電層の表面抵抗値は１０２Ω／□以上１０４Ω／□以下であることがより好ましい。
【００１５】
導電層の材料は、特に制限されない。例えば、導電層が、帯電防止剤とバインダーとで構成される場合、帯電防止剤とバインダーとの重量比や導電層の膜厚を調整することにより、導電層の表面抵抗値を調整することができる。
【００１６】
また、上記導電層は、膜厚が７０ｎｍ以上５００ｎｍ以下であることが好ましい。
【００１７】
膜厚が７０ｎｍ未満であると、膜厚均一性が充分でなく、導電層の表面抵抗値を１０２Ω／□以上１０６Ω／□以下の範囲に設定し難く、本発明の効果が得られなくなる恐れがある。５００ｎｍを超えると、呈色などにより光学特性が低下する恐れがある。より好ましくは、１００ｎｍ以上４００ｎｍ以下であり、更に好ましくは２００ｎｍ以上４００ｎｍ以下である。
【００１８】
また、上記光学部材は、偏光子を保護する偏光子保護フィルムをさらに有し、前記導電層は、偏光子保護フィルムの表面に設けられた構成であることが好ましい。
【００１９】
偏光子保護フィルムは、偏光子を保護する目的で設けられ、偏光子保護フィルムは、単層でもよく積層構成でもよい。偏光子保護フィルムは、偏光子の片面あるいは両面に設けられる。偏光子保護フィルムが偏光子の両面に設けられる場合、それぞれの偏光子保護フィルムが同じ構成でもよく異なる構成でもよい。偏光子の両面に偏光子保護フィルムが形成される場合、その片方あるいは両方に導電層が形成されてもよい。また、離型フィルムが貼着された光学部材面と反対面側に設けられることが好ましい。それは、光学表示ユニット（液晶セル）と偏光子との間に、導電層付の偏光子保護フィルムが介在していると、その影響によって、表示特性が低下するため、高品質表示には適さないからである。
【００２０】
光学部材が積層構成の場合、それぞれの積層間は、例えば接着剤、粘着剤等を介して設けられ、例えば、偏光子と偏光子保護フィルムとの間に、接着剤層が介在している構成が例示される。また、多層押出し製造手法によって形成された積層フィルムを部材として用いて光学部材を構成することもできる。
【００２１】
また、本発明において、上記導電層は、偏光子保護フィルムの偏光子側と反対側の表面に設けられてもよいが、導電層が、前記偏光子保護フィルムの偏光子側の表面に設けられた構成であることが好ましい。
【００２２】
この構成によれば、導電層が離型フィルムにより近い位置に配置されるため、離型フィルム剥離時の光学部材の帯電の程度をより減少させ、貼り合わせ時の液晶セルへの影響をよりなくすことができる。
【００２３】
また、上記偏光子保護フィルムは、オレフィン系樹脂フィルム、ポリエステル系樹脂フィルム、及びポリカーボネート系樹脂フィルムからなる群から選択された少なくとも１種で構成されることが好ましい。
【００２４】
偏光子保護フィルムは、単層フィルム構成でもよく積層フィルム構成でもよい。オレフィン系樹脂フィルムとしては、例えばポリエチレンフィルム、ポリプロピレンフィルム、シクロオレフィン等が挙げられる。また、ポリエステル系樹脂フィルムとしては、例えば、ポリエチレンテレフタレート、ポリエチレンナフタレート等が挙げられる。こられの樹脂フィルムは、公知の方法で製造される。また、樹脂フィルムの組成成分中に、各種目的に応じた他の成分が含まれていても良い。
【００２５】
上記の樹脂フィルムで構成された偏光子保護フィルムは、離型フィルム剥離の際に、帯電し易い性質であるため、この偏光子保護フィルムに導電層を設けていることが好ましい。
【００２６】
上記積層光学製品が、離型フィルム、粘着剤層、第１偏光子保護フィルム、偏光子、第２偏光子保護フィルムの順に積層された構造を有する場合、第１偏光子保護フィルムは、例えば、トリアセチルセルロース（ＴＡＣ）フィルムであり、第２偏光子保護フィルムは、帯電しやすい性状の上述の各種フィルムであり、その中でもポリエチレンテレフタレート（ＰＥＴ）フィルムが機械強度、耐熱性の観点から好ましい。この構成によれば、ＰＥＴフィルムが偏光子と液晶セルの間にはさまれることがなく、良好な表示品質を得ることができる。
【００２７】
また、他の本発明の光学表示装置は、光学表示ユニットと、当該光学表示ユニットに粘着剤層を介して設けられた光学部材とを有する光学表示装置であって、前記光学部材は、偏光子と、導電層とを有し、当該導電層の表面抵抗値が１０２Ω／□以上１０６Ω／□以下であることを特徴とする。
【００２８】
この構成によれば、表面抵抗値が１０２Ω／□以上１０６Ω／□以下の導電層を光学部材に設けてあるため、貼り合わせ時の帯電の影響を制御して光学表示ユニットへの影響をなくすことができるので、例えば、光学表示ユニットが液晶セルの場合、その回路破壊、液晶の配向不良、ドット抜け等の破損のない高品質の光学表示装置を提供できる。
【００２９】
また、他の本発明の光学表示装置の製造方法は、上記の光学表示装置を製造する方法であって、当該製造方法は、上記の積層光学製品から、離型フィルムを剥離することにより露出した粘着剤層を介して光学部材を光学表示ユニットに、当該光学部材を当該光学表示ユニットに向かって押圧手段で押圧することで、貼り合せる貼合工程を有することを特徴とする。
【００３０】
この構成によれば、導電層の表面抵抗値を１０2Ω／□以上１０６Ω／□以下にすることで、離型フィルム剥離時の帯電の程度を好適範囲に制御でき、光学部材と光学表示ユニットとの貼り合せを良好に行えると共に、光学表示ユニットへの悪影響、例えば光学表示ユニットが液晶セルの場合、その回路破壊、液晶の配向不良、ドット抜け等を好適に防止できる。なお、上記弾性ローラの材料は、弾性体であるかぎり特に限定されず、シリコンゴム、ニトリルブチルゴム等が挙げられる。
【００３１】
また、上記の本発明の一実施態様として、押圧手段を弾性ローラで構成する。この構成によれば、離型フィルム剥離時の光学部材の帯電が適度に制御されているため、弾性ローラと良好に密着させながら、光学部材を光学表示ユニットに貼り合せることができると共に、光学表示ユニットへの悪影響、例えば光学表示ユニットが液晶セルの場合、その回路破壊、液晶の配向不良、ドット抜け等を好適に防止できる。
【００３２】
また、上記の本発明の一実施態様として、前記光学表示装置の製造方法は、吸着固定手段で、前記積層光学製品を吸着固定する吸着固定工程をさらに有し、
前記貼合工程は、前記吸着固定手段に吸着固定された積層光学製品から離型フィルムを剥離した後、当該離型フィルムの剥離により露出した粘着剤層を介して光学部材を光学表示ユニットに、当該光学部材を当該光学表示ユニットに向かって当該吸着固定手段で押圧することで、貼り合せることを特徴とする。
【００３３】
この構成によれば、吸着固定手段で吸着固定された積層光学製品からの離型フィルムの剥離によって生じる積層光学製品の帯電は導電層によって適度に制御されており、積層光学製品と吸着固定手段との密着性が良くなる。特に、積層光学製品の端部分と吸着固定手段との密着性がよくなり、当該端部分の剥がれやヨレ等を好適に防止できる。このように密着性がよく、剥がれやヨレがない状態で、光学部材を光学表示ユニットに押圧して、光学表示ユニットに貼り合せることができる。よって、離型フィルム剥離時の帯電が適度に制御されているため、吸着固定手段と良好に密着させながら、光学表示ユニットに貼り合せることができると共に、光学表示ユニットへの悪影響、例えば光学表示ユニットが液晶セルの場合、その回路破壊、液晶の配向不良、ドット抜け等を好適に防止できる。
【００３４】
また、上記の製造方法において、積層光学製品から離型フィルムを剥離する第１離型フィルム剥離工程と、離型フィルムが剥離された光学部材の欠点検査をする欠点検査工程と、離型フィルム（貼合工程で剥離される離型フィルム）を粘着剤層を介して積層光学製品に貼り合せる第２離型フィルム貼合工程を、さらに有する構成を例示できる。
【００３５】
欠点検査において、離型フィルムに内在する位相差および、離型フィルムに付着または内在する異物やキズ等の欠点を考慮する必要がなく、光学部材の欠点検査を行なえる。再び積層光学製品に貼着される離型フィルムは、使用済みあるいは未使用のものでもよい。なお、欠点検査は公知の方法が適用できる。
【００３６】
「欠点」は、例えば、表面又は内部の汚れ、傷、異物をかみ込んだ打痕状のひねったような特殊状欠点（クニックと称されることがある）、気泡、異物等を意味している。
【００３７】
光学表示装置は、例えば、液晶表示装置、有機ＥＬ表示装置が挙げられる。液晶表示装置は、光学表示ユニットとして液晶セルを有する。また、有機ＥＬ表示装置は、光学表示ユニットとして、有機ＥＬセルを有する。
【発明を実施するための最良の形態】
【００３８】
（実施形態１）
本発明の実施形態１について以下に説明する。
【００３９】
（積層光学製品の構成）
図１は、実施形態１に用いられる積層光学製品の構成を示す断面模式図である。積層光学製品１は、光学部材１１と、離型フィルム１２と、表面保護部材１３と、粘着剤層１４と、弱粘着剤層１５を有する。
【００４０】
第１偏光子保護フィルム１１ｃは、例えばトリアセチルセルロース（ＴＡＣ）フィルムである。離型フィルム１２は、第１偏光子保護フィルム１１ｃと粘着剤層１４を介して設けられている。また、表面保護部材１３は、第２偏光子保護フィルム１１ｂと弱粘着剤層１５を介して設けられている。
【００４１】
偏光子１１ａ側の第２偏光子保護フィルム面に、導電層１１ｂ１が形成される。この導電層１１ｂ１と偏光子１１ａとの間に不図示の接着剤層が設けられる。また、別実施形態として、導電層を第２偏光子保護フィルム１１ｂ面に形成するとともに、あるいは第２偏光子保護フィルム１１ｂ面に形成せずに、第１偏光子保護フィルム１１ｃ面に形成する構成もある。
【００４２】
離型フィルム１２は、粘着剤層１４の露出面に対して、その汚染防止等を目的に仮着されている。これにより、通例の取扱状態で粘着剤層１４に接触することを防止できる。離型フィルム１２としては、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【００４３】
光学部材１１は、偏光子１１ａと、導電層１１ｂ１と、第２偏光子保護フィルム１１ｂと、第１偏光子保護フィルム１１ｃとで構成されている。また、光学部材１１は、実用に際して各種光学層を積層した多層積層構造の光学フィルムが例示できる。その光学層については特に限定されるものではないが、例えば、偏光子保護フィルムの偏光子を接着させない面（接着剤塗布層を設けない面）に対して、ハードコート処理や反射防止処理、スティッキング防止や、拡散ないしアンチグレアを目的とした表面処理を施したり、視角補償等を目的とした配向液晶層を積層する方法があげられる。また、反射板や半透過板、位相差板（１／２や１／４等の波長板（λ板）を含む）、視角補償フィルムなどの液晶表示装置等の形成に用いられる光学フィルムを１層または２層以上貼りあわせたものもあげられる。
【００４４】
偏光子１１ａは、例えば、ポリビニルアルコール系フィルムによって構成される。このポリビニルアルコール系フィルムの染色、架橋、延伸の各処理は、別々に行う必要はなく同時に行ってもよく、また、各処理の順番も任意でよい。なお、ポリビニルアルコール系フィルムとして、膨潤処理を施したポリビニルアルコール系フィルムを用いてもよい。一般には、ポリビニルアルコール系フィルムを、ヨウ素や二色性色素を含む溶液に浸漬し、ヨウ素や二色性色素を吸着させて染色した後洗浄し、ホウ酸やホウ砂等を含む溶液中で延伸倍率３倍〜７倍で一軸延伸した後、乾燥する。ヨウ素や二色性色素を含む溶液中で延伸した後、ホウ酸やホウ砂等を含む溶液中でさらに延伸（二段延伸）した後、乾燥することにより、ヨウ素の配向が高くなり、偏光度特性が良くなるため、特に好ましい。
【００４５】
第１、第２偏光子保護フィルム１１ｃ、１１ｂは、例えば、透明性、機械的強度、熱安定性、水分遮断性、等方性などに優れる熱可塑性樹脂を材料とするフィルムで構成される。このような熱可塑性樹脂の具体例としては、トリアセチルセルロース等のセルロース樹脂、ポリエステル樹脂、ポリエーテルスルホン樹脂、ポリスルホン樹脂、ポリカーボネート樹脂、ポリアミド樹脂、ポリイミド樹脂、ポリオレフィン樹脂、（メタ）アクリル樹脂、環状ポリオレフィン樹脂（ノルボルネン系樹脂）、ポリアリレート樹脂、ポリスチレン樹脂、ポリビニルアルコール樹脂、およびこれらの混合物があげられる。また、偏光子保護フィルムとして、（メタ）アクリル系、ウレタン系、アクリルウレタン系、エポキシ系、シリコーン系等の熱硬化性樹脂または紫外線硬化型樹脂を用いることができる。偏光子保護フィルム中には任意の適切な添加剤が１種類以上含まれていてもよい。添加剤としては、例えば、紫外線吸収剤、酸化防止剤、滑剤、可塑剤、離型剤、着色防止剤、難燃剤、核剤、帯電防止剤、顔料、着色剤などがあげられる。偏光子保護フィルム中の上記熱可塑性樹脂の含有量は、好ましくは５０〜１００重量％、より好ましくは５０〜９９重量％、さらに好ましくは６０〜９８重量％、特に好ましくは７０〜９７重量％である。偏光子保護フィルム中の上記熱可塑性樹脂の含有量が５０重量％以下の場合、熱可塑性樹脂が本来有する高透明性等が十分に発現できないおそれがある。また、非晶性ＰＯフィルム、シクロオレフィンポリマー（ＣＯＰ）系フィルム、アートンフィルム（ＪＳＲ製）、ゼオノアフィルム（日本ゼオン製）等が挙げられる。
【００４６】
また、偏光子保護フィルムとしては、特開２００１−３４３５２９号公報（ＷＯ０１／３７００７）に記載のポリマーフィルム、例えば、（Ａ）側鎖に置換および／または非置換イミド基を有する熱可塑性樹脂と、（Ｂ）側鎖に置換および／または非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。これらのフィルムは位相差が小さく、光弾性係数が小さいため偏光板の歪みによるムラなどの不具合を解消することができ、また透湿度が小さいため、加湿耐久性に優れる。
【００４７】
偏光子保護フィルムの厚さは、適宜に決定しうるが、一般には強度や取扱性等の作業性、薄層性などの点より１〜５００μｍ程度である。特に１〜３００μｍが好ましく、５〜２００μｍがより好ましい。偏光子保護フィルムは、５〜１５０μｍの場合に特に好適である。
【００４８】
また、本発明において、第２偏光子保護フィルム１１ｂが、オレフィン系樹脂フィルム、ポリエステル系樹脂フィルム、及びポリカーボネート系樹脂フィルムからなる群から選択された少なくとも１種で構成されることが好ましい。これらのフィルムは、帯電しやすい性状であり、その中でもポリエチレンテレフタレート（ＰＥＴ）フィルムが機械強度、耐熱性の観点から好ましい。
【００４９】
表面保護部材１３は、弱粘着剤１５を介して形成される。その目的は、傷防止、汚染防止等が主目的である。表面保護部材としては、例えばプラスチックフィルム、ゴムシート、紙、布、不織布、ネット、発泡シートや金属箔、それらのラミネート体等の適宜な薄葉体を、必要に応じシリコーン系や長鎖アルキル系、フッ素系や硫化モリブデン等の適宜な剥離剤でコート処理したものなどの、従来に準じた適宜なものを用いうる。
【００５０】
粘着剤層１４、弱粘着剤層１５は、液晶セル等の他の部材と接着するために設けられている。粘着剤層１４、弱粘着剤層１５を構成する粘着剤としては、特に限定されるものではないが、アクリル系等の従来に準じた適宜な粘着剤にてそれぞれ形成することができる。
【００５１】
上記の導電層１１ｂ１の表面抵抗値は、１０2Ω／□以上１０６Ω／□以下であり、１０2Ω／□以上１０４Ω／□以下が好ましい。
【００５２】
導電層１１ｂ１の表面抵抗値を１０2Ω／□以上１０６Ω／□以下にすることで、離型フィルム１２の剥離時の帯電の程度を好適範囲に制御できる。この帯電制御の作用メカニズムについて以下に説明する。積層光学製品１から離型フィルム１２を剥離した際に、粘着剤層１４表面に分極が発生する。これに対し、対電荷が光学部材１１内に生じて、移動、供給される。すなわち内部電位差を打ち消す方向に動き、粘着剤層１４表面の電荷と光学部材１１内より供給される対電荷とが徐々に中和される。このとき導電層１１ｂ１は、この中和速度を速めるように作用する。その結果、貼り合わせ時には、分極の解消が進み、その周囲に対して静電誘導を小さくあるいは生じさせず、液晶セルに障害を与えることがない。
【００５３】
また、離型フィルム１２の剥離による帯電は、その剥離速度に比例して強くなることや、離型フィルム１２の構成材料及び粘着剤層１４の構成材料等の剥離対象同士の組み合わせ、周辺環境温度、湿度によっても変動することが想定される。しかし、本発明による導電層の表面抵抗値を１０2Ω／□以上１０６Ω／□以下にすることで、光学表示装置の製造工程中の貼合工程の温度・湿度環境に関係なく（例えば、−１０℃以上４５℃以下の温度範囲、０、１％以上１００％以下の湿度範囲）、また、離型フィルムの剥離速度に関係なく（例えば、剥離速度２０ｍｍ／ｍｉｎ以上、好ましくは５０ｍｍ／ｍｉｎ以上、より好ましくは１００ｍｍ／ｍｉｎ以上）、導電層の上記効果は、良好に発揮される。
【００５４】
また、離型フィルム１２の剥離の際に生じる分極の解消のためには、導電層を離型フィルム１２に近い位置に設けることが好ましく、例えば、粘着剤層１４と第１偏光子保護フィルム１１ｃとの間に導電層を設ける構成や、第１偏光子保護フィルム１１ｃと偏光子１１ａとの間に導電層を設ける構成が例示できる。一方、導電層を表面保護部材１３内に設けた場合には、離型フィルム１２の剥離の際に生じる分極と導電層の距離が大きすぎるため、分極の解消や液晶セルへの貼り合わせを良好に行えない。また、本実施形態１のように、第２偏光子保護フィルム１１ｂと偏光子１１ａとの間に導電層１１ｂ１を設けることで、離型フィルム１２の剥離時に生じる分極の解消作用が良好となり、さらに、表面保護部材１３の剥離時に生じる第２偏光子保護フィルム１１ｂ表面の分極の解消にも良好に作用するため好ましい。
【００５５】
また、導電層１１ｂ１の膜厚が、７０ｎｍ以上５００ｎｍ以下であることが好ましい。７０ｎｍ以上にして、表面抵抗値を小さくし、導電性能を充分に発揮させることができる。また、５００ｎｍ以下にして、呈色などによる光学特性低下を防ぐことができる。
【００５６】
また、導電層１１ｂ１の全光線透過率は、分光光度計を用いた測定において、ＰＥＴフィルム１１ｂのみの測定値を９７％としたときに、導電層１１ｂ１形成されたＰＥＴフィルム１１ｂの測定値が、９２％以上が好ましく、９４％以上がより好ましい。
【００５７】
導電層１１ｂ１を構成する帯電防止剤としては、例えば、イオン性界面活性剤系、導電性ポリマー、金属酸化物などの帯電防止性を付与できる材料等を用いることができる。導電性ポリマーとしては、ＴＣＮＱ電荷移動錯体が好ましい。導電層を形成方法は、特に制限されず、公知のコート方法、スプレー方法が挙げられる。
【００５８】
上記のＴＣＮＱ電荷移動錯体としては、Ｎ−ｎ−ブチルイソキノリニウム等の電子供与性を持つ分子をドナーとするＴＣＮＱ電荷移動錯体が例示される。ＴＣＮＱは、電子受容体であり、７，７，８，８‐テトラシアノキノジメタンまたはその誘導体を意味する。
【００５９】
イオン性界面活性剤としては、カチオン系（例えば、４級アンモニウム塩型、ホスホニウム塩型、スルホニウム塩型等）、アニオン系（カルボン酸型、スルホネート型、サルフェート型、ホスフェート型、ホスファイト型等）、両性イオン系（スルホベタイン型、アルキルベタイン型、アルキルイミダゾリウムベタイン型等）またはノニオン系（多価アルコール誘導体、β−シクロデキストリン包接化合物、ソルビタン脂肪酸モノエステル・ジエステル、ポリアルキレンオキシド誘導体、アミンオキシド等）の各種界面活性剤があげられる。
【００６０】
導電性ポリマーとしては、他に、ポリアニリン系、ポリチオフェン系、ポリピロール系、ポリキノキサリン系等のポリマーが例示される。
【００６１】
また金属酸化物としては、酸化スズ系、酸化アンチモン系、酸化インジウム系、酸化亜鉛系などがあげられる。これらのなかでも酸化スズ系が好ましい。酸化スズ系のものとしては、たとえば、酸化スズの他、アンチモンドープ酸化スズ、インジウムドープ酸化スズ、アルミニウムドープ酸化スズ、タングステンドープ酸化スズ、酸化チタン−酸化セリウム−酸化スズの複合体、酸化チタン−酸化スズの複合体等があげられる。
【００６２】
さらに前記以外の帯電防止剤として、アセチレンブラック、ケッチェンブラック、天然グラファイト、人造グラファイト、チタンブラックや、カチオン型（４級アンモニウム塩等）、両性イオン型（ベタイン化合物等）、アニオン型（スルホン酸塩等）またはノニオン型（グリセリン等）のイオン導電性基を有する単量体の単独重合体若しくは当該単量体と他の単量体との共重合体、４級アンモニウム塩基を有するアクリレートまたはメタクリレート由来の部位を有する重合体等のイオン導電性を有する重合体；ポリエチレンメタクリレート共重合体等の親水性ポリマーをアクリル系樹脂等にアロイ化させたタイプの永久帯電防止剤を例示できる。
【００６３】
これら帯電防止剤のなかでも光学特性、外観、帯電防止効果および帯電防止効果の熱時、加湿時での安定性という観点から、導電性ポリマーが好ましく使用される。特に、ポリアニリン、ポリチオフェンなどの水溶性導電性ポリマーまたは水分散性導電性ポリマーが好ましく使用される。水溶性導電性ポリマーや水分散性導電性ポリマーは帯電防止層を形成する際の塗布液を水溶液または水分散液として調製でき、当該塗布液は非水系の有機溶剤を用いる必要がなく、当該有機溶剤による光学フィルム基材の変質を抑えることができるためである。なお、水溶液または水分散液は、水のほかに水系の溶媒を含有できる。たとえば、メタノール、エタノール、ｎ−プロパノール、イソプロパノール、ｎ−ブタノール、イソブタノール、ｓｅｃ−ブタノール、ｔｅｒｔ−ブタノール、ｎ−アミルアルコール、イソアミルアルコール、ｓｅｃ−アミルアルコール、ｔｅｒｔ−アミルアルコール、１−エチル−１−プロパノール、２−メチル−１−ブタノール、ｎ−ヘキサノール、シクロヘキサノール等のアルコール類があげられる。
【００６４】
前記水溶性または水分散性のポリアニリンのポリスチレン換算による重量平均分子量は５０００００以下であることが好ましく、さらに好ましくは３０００００以下である。水溶性または水分散性のポリチオフェンのポリスチレン換算による重量平均分子量は４０００００以下であることが好ましく、さらに好ましくは３０００００以下である。重量平均分子量が前記値を超える場合には前記水溶性または水分散性を満たさなくなる傾向にあり、そのようなポリマーを用いて塗布液（水溶液または水分散液）を調製した場合には、当該塗布液中にポリマーの固形分が残存し、あるいは高粘度化して膜厚の均一な帯耐電防止層を形成することが困難になる傾向にある。
【００６５】
水溶性導電ポリマーの水溶性とは、水１００ｇに対する溶解度が５ｇ以上の場合をいう。前記水溶性導電ポリマーの水１００ｇに対する溶解度は２０〜３０ｇであることが好ましい。水分散性導電性ポリマーとは、ポリアニリン、ポリチオフェン等の導電性ポリマーが微粒子状で水中に分散しているものであり、水分散液は液粘度が小さく薄膜塗工が容易であるばかりか、塗布層の均一性に優れている。ここで微粒子のサイズとしては１μｍ以下のものが帯電防止層の均一性という点から好ましい。
【００６６】
また、前記ポリアニリン、ポリチオフェン等の水溶性導電性ポリマーまたは水分散性導電性ポリマーは、分子中に親水性官能基を有することが好ましい。親水性官能基としては、たとえばスルホン基、アミノ基、アミド基、イミノ基、四級アンモニウム塩基、ヒドロキシル基、メルカプト基、ヒドラジノ基、カルボキシル基、硫酸エステル基、リン酸エステル基、またはそれらの塩などがあげられる。分子内に親水性官能基を有することにより水に溶けやすくなったり、水に微粒子状で分散しやすくなり、前記水溶性導電性ポリマーまたは水分散性導電性ポリマーを容易に調製することができる。
【００６７】
水溶性導電ポリマーの市販品の例としては、ポリアニリンスルホン酸（三菱レーヨン社製，ポリスチレン換算による重量平均分子量１５００００）などがあげられる。水分散性導電ポリマーの市販品の例としては、ポリチオフェン系導電性ポリマー（ナガセケムテック社製、商品名，デナトロンシリーズ）などがあげられる。
【００６８】
また帯電防止層の形成材料としては、前記帯電防止剤とともに、帯電防止剤の皮膜形成性、光学フィルムへの密着性の向上などを目的に、バインダー成分を添加することもできる。帯電防止剤が水溶性導電性ポリマーまたは水分散性導電性ポリマーの水系材料の場合には、水溶性もしくは水分散性のバインダー成分を用いる。バインダーの例としては、ポリウレタン系樹脂、ポリエステル系樹脂、アクリル系樹脂、ポリエーテル系樹脂、セルロース系樹脂、ポリビニルアルコール系樹脂、エポキシ樹脂、ポリビニルピロリドン、ポリスチレン系樹脂、ポリエチレングリコール、ペンタエリスリトールなどがあげられる。特にポリウレタン系樹脂、ポリエステル系樹脂、アクリル系樹脂が好ましい。これらバインダーは１種または２種以上を適宜その用途に合わせて用いることができる。バインダーの使用量は、帯電防止剤の種類にもよるが、通常、帯電防止剤１００重量部に対して６００重量部以下、さらには２５０〜５００重量部であるのが好ましい。
【００６９】
（光学表示装置）
光学表示装置の一例として、液晶表示装置１００について、図２を用いて説明する。図２は、液晶セルＡに、積層光学製品１が粘着剤層１４を介して貼着されている。積層光学製品１は、離型フィルム１４が存在しない他は、図１の積層光学製品１と同様の構成である。
【００７０】
（液晶表示装置の製造方法）
上記の液晶表示装置１００の製造方法について、図３の製造工程フローと、図４、５の製造装置の一例を用いて説明する。
【００７１】
（１）ロール原反準備工程（ステップＳ１）。長尺の積層光学製品１をロール原反として準備し、設置手段３０１に設置する。
【００７２】
（２）離型フィルム除去工程（ステップＳ２）。次いで、搬送手段３０２を用いて、ロール原反から積層光学製品１を繰り出し、離型フィルム１２を剥離してロール状に巻き取る。他の離型フィルム１２の剥離方法としては、例えば、所定サイズ単位に第１離型フィルムのみをカットし粘着テープで剥離除去する方法、その他公知の除去方法も用いることができる。ここでの剥離機構（図５参照）としては、先端が先鋭なナイフエッジＮ１を有し、このナイフエッジＮ１に離型フィルム１２を巻き掛けて反転移送することにより、離型フィルム１２を剥離除去すると共に、離型フィルム１２を剥離した後の積層光学製品１を搬送方向に搬送するように構成される。
【００７３】
（３）欠点検査工程（ステップＳ３）。次いで、離型フィルム除去工程後に、欠点検査手段３０３を用いて光学部材１１を検査する。離型フィルム１２に内在する位相差を考慮する必要がなく、光学部材１１の欠点検査を行なえる。欠点検査は公知の方法が適用でき、欠点検査手段３０３も公知の欠点検査装置を用いることができる。
【００７４】
（４）離型フィルム貼合工程（ステップＳ４）。次いで、欠点検査工程後に、第２離型フィルム１２ａを、粘着剤層１４を介して、光学部材１１に貼り合せる。
【００７５】
（５）切断工程（ステップＳ５）。次いで、第２離型フィルム１２ａの貼合工程後に、切断手段３０４を用いて、第２離型フィルム１２ａを残して、表面保護部材１３、弱粘着剤層１５、光学部材１１および粘着剤層１４を切断する。切断手段３０４としては、例えば、レーザ装置、カッター、その他の公知の切断手段等が挙げられる。欠点検査工程（ステップＳ３）で検出された欠点の位置座標に基づいて、切断手段３０４は、欠点部分を避けるように所定サイズに切断する。すなわち、欠点部分を含む切断品は不良品として後工程で排除される。あるいは、切断手段３０４は、欠点の存在を無視して、連続的に所定サイズに切断してもよい。
【００７６】
（６）貼合工程（ステップＳ６）。次いで、切断工程後に、第２離型フィルム１２ａを剥離しながら、上記で切断された部材を、粘着剤層１４を介して液晶セルＡに貼り合せる。剥離機構は、図５に示すように、先端が先鋭なナイフエッジＮ１を有し、このナイフエッジＮ１に第２離型フィルム１２ａを巻き掛けて反転移送することにより、第２離型フィルム１２ａを剥離すると共に、切断された積層光学製品１の部材を液晶セルＡ面に送り出すように構成される。
【００７７】
貼合せ機構は、図４、５に示すように、押圧ローラ３０５とそれに対向して配置される案内ローラ３０５１とから構成されている。案内ローラ３０５１は、モータ駆動されるゴムローラで構成され、その直上方にはモータ駆動される弾性ローラからなる押圧ローラ３０５が昇降可能に配備されており、液晶セルＡを貼合せ位置に送り込む際には、押圧ローラ３０５はその上面より高い位置まで上昇されてローラ間隔を開けるようになっている。液晶セルＡは、予め洗浄されストックされており、貼合工程の処理動作に連動して、吸着搬送手段３０６により、搬送機構に配置され、貼合処理位置に搬送される。
【００７８】
以上の実施形態１の貼合工程では、積層光学製品１と液晶セルＡをロール対（押圧ローラ３０５、案内ローラ３０５１）で挟んで、積層光学製品１を液晶セルＡに押圧することで、光学部材１１を液晶セルＡに貼り合わせている。光学部材１１内に導電層１１ｂ１が形成されているため、第２離型フィルム１２ａの剥離時に生じる光学部材１１の帯電の程度を好適に制御でき、積層光学製品１の表面と押圧ローラ３０５とが好適に密着する。さらに、積層光学製品１を液晶セルＡに好適に貼り合せることができ、また、液晶セルＡに対し破壊等の障害を生じさせることがない。
【００７９】
上記切断工程において、離型フィルムを残して、積層光学製品のその他の部材を切断する方式（ハーフカット方式）について説明したが、本発明の切断工程は、その切断方式に限定されない。また、切断後の積層光学製品を基板に貼り合わせる貼合工程において、ローラ対による貼り合わせ方式を説明したが、本発明の貼合工程は、その方式に限定されない。以下において、切断工程および貼合工程における別実施形態について図６〜９を用いて説明する。
【００８０】
（実施形態２）
図６は、フルカット方式による切断、および吸着固定装置６０１（吸着固定手段に相当する）による貼り合わせ方法を示す説明図である。先ず、搬送されてきた積層光学製品１を、吸着固定装置６０１で吸着して固定する。次いで、積層光学製品１を切断手段６０４で切断する。切断された積層光学製品１は、吸着固定装置６０１に吸着されながら、次工程に搬送される。吸着固定装置６０１の下面には吸着用の孔が複数設けられ、不図示の真空発生装置と管で接続される。真空発生装置によって真空引きされることで、吸着固定装置６０１の下面に積層光学製品１が吸着固定される。吸着用孔は、一般的には、吸着固定装置６０１の下面に規則的に配列されており、被吸着体を全面的に吸着することがきる。しかしながら、吸着用孔に直接吸着されない部位では、被吸着体にシワが生じたり、その被吸着体端部が剥がれたりする場合がある。本実施形態では、積層光学製品１の光学部材１１内に導電層１１ｂ１を設けることで、離型フィルム１２の剥離時の帯電を制御して、吸着固定装置６０１と積層光学製品１との密着性を向上させ、積層光学製品１のシワやその端部の剥がれを防止し、液晶セルＡとの貼り合わせを良好にしている。
【００８１】
次いで、離型フィルム１２が剥離される。図６の剥離方法は、粘着テープ６０２のロール原反から粘着テープ６０２を繰り出し、ローラで押さえつけながら粘着テープ６０２を離型フィルム１２に貼り、離型フィルム１２を剥離するように接着テープ６０２を巻き取る方法である。なお、剥離工程は、人手で行なってもよく、公知の離型フィルム剥離装置を用いてもよい。
【００８２】
次いで、吸着固定装置６０１に吸着させながら積層光学製品１を液晶セルＡまで搬送する。貼り合わせ位置決め後に、吸着固定手段６０１を液晶セルＡへ下降させ、押圧しながら、積層光学製品１を液晶セルＡに貼り合わせる。次いで、吸着固定装置６０１の吸着作用を停止し、吸着固定装置６０１を上昇させて、積層光学製品１から離れる。
【００８３】
（実施形態３）
図７は、キャリアフィルムを用いたフルカット方式を示す説明図である。キャリアフィルム７０１のロール原反を積層光学製品１の搬送位置に配置する。キャリアフィルム７０１は、例えば、粘着テープ、接着テープである。先ず、キャリアフィルム７０１のロール原反からキャリアフィルム７０１を繰り出し、ローラで押さえつけながらキャリアフィルム７０１を積層光学製品１の表面保護部材１３の表面に貼る。次いで、キャリアフィルム７０１と共に搬送されてきた積層光学製品１を、当該キャリアフィルム７０１を残して、切断手段６０４で切断する。
【００８４】
次いで、図６の剥離工程と同様に、粘着テープ６０２のロール原反から粘着テープ６０２を繰り出し、ローラで押さえつけながら粘着テープ６０２を離型フィルム１２に貼り、離型フィルム１２を剥離するように接着テープ６０２を巻き取る。次いで、図５と同様の方法で、キャリアフィルム７０１をナイフエッジ部で剥離しながら、押圧ローラ７０５および案内ローラ７０５１によって、積層光学製品１を液晶セルＡに貼り合わせる。なお、キャリアフィルム７０１の剥離を、積層光学製品１を液晶セルＡに貼り合わせた後に行なうこともできる。
【００８５】
本実施形態によれば、離型フィルム１２の剥離時およびキャリアフィルム７０１の剥離時に生じる帯電を、導電層１１ｂ１によって好適に制御しており、積層光学製品１の表面と押圧ローラ７０５とを好適に密着することができ、積層光学製品１を液晶セルＡに好適に貼り合せることができる。また、液晶セルＡに対し障害を生じさせることがない。
【００８６】
（実施形態４）
図８は、表面保護部材を残してハーフカットする方式を示す説明図である。先ず、搬送されてきた積層光学製品１を、表面保護部材１３を残して切断手段６０４で切断する。離型フィルム１２の剥離方法は、上述と同様である。次いで、図５と同様の方法で、押圧ローラ７０５および案内ローラ７０５１によって、積層光学製品１を液晶セルＡに貼り合わせる。次いで、表面保護部材１３を切断手段６０５で切断する。
【００８７】
本実施形態によれば、離型フィルム１２の剥離時に生じる帯電を、導電層１１ｂ１によって好適に制御しており、積層光学製品１の表面と押圧ローラ７０５とを好適に密着することができ、積層光学製品１を液晶セルＡに好適に貼り合せることができる。また、液晶セルＡに対し障害を生じさせることがない。また、表面保護部材１３剥離する際に生じる帯電においても、導電層１１ｂ１によって好適に制御しており、液晶セルＡに対し障害を生じさせることがない。
【００８８】
（実施形態５）
図９に示すように、積層光学製品１を切断手段６０４で切断し、複数のロールバーＲで押さえながら、押圧ローラ７０５及び案内ローラ７０５１まで搬送するように構成できる。本実施形態においても実施形態４と同様の効果が得られる。
【００８９】
（実施例１）
実施例１の積層光学製品は、図１と同様に、離型フィルム、粘着剤層、第１偏光子保護フィルム（ＴＡＣフィルム）、偏光子、導電層、第２偏光子保護フィルム（ＰＥＴフィルム）、弱粘着剤層、及び表面保護部材を、この順に積層した構造を有する。離型フィルムは、ＰＥＴフィルム（三菱ポリエステル社製、ダイヤホイルＭＲＦ、厚み２５μｍ）を用いた。粘着剤層の粘着剤は、アクリルポリマー１００重量部（ブチルアクリレート１００重量部に対しアクリル酸１０重量部）に対し、ポリイソシアネート化合物３重量部の粘着剤（日東電工社製）を用いた。この粘着剤層の厚みは、３０μｍとした。第１偏光子保護フィルムは、ＴＡＣフィルム（富士フィルム社製ＴＤ８０ＵＬ、厚み８０μｍ）を用いた。偏光子は、ポリビニルアルコールフィルム（(株)クラレ製、ケン化度９９．５％、重合度２４００）を以下の条件の浴に順に浸漬させて作製したものを用いた。
イ）３０℃の水浴で膨潤させた。
ロ）３０℃のヨウ素水溶液で染色した。
ハ）３０℃のホウ酸水溶液で架橋した。
ニ）６０℃の水浴で初期原反長さの５倍に延伸した。
ホ）３０℃のＫＩ水溶液で色調調整した。
第２偏光子保護フィルムは、ＰＥＴフィルム（東レ社製Ｓ−１０、厚み３８μｍ）を用いた。また、第２偏光子保護フィルムの偏光子側の表面に、ポリエステル樹脂を１００重量部に対し、Ｎ−ｎ−ブチルイソキノリニウムをドナーとするＴＣＮＱ電荷移動錯体を４０重量部とした混合物を塗布して膜厚が３００ｎｍの導電層を形成した。弱粘着剤層の粘着剤は、アクリル粘着剤を用いた。弱粘着剤層の厚みは、２０μｍとした。表面保護部材は、ＰＥＴフィルム（東レ社製、ルミラー、厚み３８μｍ）を用いた。
【００９０】
（実施例２）
実施例２は、ＴＣＮＱ電荷移動錯体を２０重量部として導電層を形成したこと以外は、実施例１と同じである。
【００９１】
（実施例３）
実施例３は、ＴＣＮＱ電荷移動錯体を１５重量部として導電層を形成したこと以外は、実施例１と同じである。
【００９２】
（実施例４）
実施例４は、アニオン系帯電防止剤を塗布して膜厚が３００ｎｍの導電層を形成したこと以外は、実施例１と同じである。
【００９３】
（実施例５）
実施例５は、膜厚が７０ｎｍの導電層を形成したこと以外は、実施例１と同じである。
【００９４】
（比較例１）
比較例１は、酸化インジウム（ＩＴＯ）を蒸着して膜厚が３００ｎｍの導電層を形成したこと以外は、実施例１と同じである。
【００９５】
（比較例２）
比較例２は、酸化インジウム（ＩＴＯ）を蒸着して膜厚が４０ｎｍの導電層を形成したこと以外は、実施例１と同じである。
【００９６】
（比較例３）
比較例３は、酸化インジウム（ＩＴＯ）を蒸着して膜厚が２０ｎｍの導電層を形成したこと以外は、実施例１と同じである。
【００９７】
（比較例４）
比較例４は、アニオン系帯電防止剤を塗布して膜厚が５０ｎｍの導電層を形成したこと以外は、実施例１と同じである。
【００９８】
（比較例５）
比較例５は、膜厚が３０ｎｍの導電層を形成したこと以外は、実施例１と同じである。
【００９９】
（比較例６）
比較例６は、ポリエステル樹脂を１００重量部に対し、Ｎ−ｎ−ブチルイソキノリニウムをドナーとするＴＣＮＱ電荷移動錯体を２０重量部とした混合物を、第２偏光子保護フィルム（ＰＥＴフィルム）側の表面保護部材面に塗布して膜厚が３００ｎｍの導電層を形成したこと以外は、実施例１と同じである。
【０１００】
（比較例７）
比較例７は、第２偏光子保護フィルム（ＰＥＴフィルム）に導電層を形成していないこと以外は、実施例１と同じである。
【０１０１】
（評価方法）
（１）表面抵抗値の測定方法
気温２３℃、湿度６５％Ｒ．Ｈ．の環境下で、抵抗値表示計（モデル８６０、エレクトロ−テックシステム社製）を、導電層に接触させ測定した。測定位置は、導電層が形成されたフィルムの流れ方向（長尺方向）に１０ｃｍ間隔で３点とした。表１の表面抵抗値は、３点の測定値の平均値である。
【０１０２】
（２）帯電圧の測定方法
気温２３℃、湿度６５％Ｒ．Ｈ．の環境下で、２００×２００ｍｍサイズの積層光学製品の試験サンプル片から離型フィルムを５０ｍｍ／ｓｅｃの速さで剥離し、剥離後３秒後の粘着剤層の中央部の表面の帯電圧をデジタル式静電気測定器（ＭＯＤＥＬ  ２０５０、ヒューグル製）で３回測定した。
【０１０３】
（３）ロール密着性の評価
気温２３℃、湿度５０％Ｒ．Ｈ．の環境下で、図５に示すように、積層光学製品から離型フィルムを剥離速度１００ｍｍ／ｍｉｎで剥離させ、押圧ローラと案内ローラとで、積層光学製品と液晶セルとを押圧して貼り合せた。押圧ローラとして、直径７０ｍｍのシリコンゴム製の弾性ローラを用いた。案内ローラとして、直径１００ｍｍのニトリルブチルゴム（ＢＮＲ）製の弾性ローラを用いた。貼り合わせ後の積層光学製品と液晶セル間の気泡の有無を目視で確認した。「◎」は、気泡、シワが確認されず、貼り位置ズレが、０．５ｍｍ以下の場合を示す。「○」は、３ｍｍ未満の気泡が確認されたが、シワの発生はなく、貼り位置ズレが、０．５ｍｍを超えるが０．８ｍｍ以下である場合を示す。「×」は、３ｍｍ以上の気泡又はシワが発生し、貼り直しが必要となり、貼り位置ズレが１ｍｍ以上である、又はそのようになることがある場合を示す。貼り位置ズレは、目標とする貼り位置からのズレである。
【０１０４】
（４）帯電防止性の評価
上記速度で離型フィルムを剥離した積層光学製品を液晶セルに貼り合わせ後に、液晶セルにドット抜けが確認されたか否かを評価した。「○」は、ドット抜けが確認されなかった場合であり、「×」は、ドット抜けが確認された場合を示す。
【０１０５】
以上の評価結果を表１に示す。
【表１】
2009157363.tif 000003
【０１０６】
表１から以下のことが分かった。すなわち、表面抵抗値が１０２Ω／□以上１０６Ω／□以下の導電層を第２偏光子保護フィルムの偏光子側の表面に設けた実施例１〜５は、帯電防止性の評価、及びローラ密着性の評価がともに良好であった。
【０１０７】
これに対し、導電層の表面抵抗値が１０２Ω／□未満のである比較例１は、ローラ密着性の評価が悪く、表面抵抗値が１０６Ω／□を超える比較例４及び５は、帯電防止性の評価が悪かった。
【０１０８】
また、導電層の膜厚が７０ｎｍ未満である比較例２及び３は、導電層の膜厚均一性が悪く、導電層の表面抵抗値が１０２Ω／□未満となることがあるため、ローラ密着性の評価が悪くなることがあった。導電層が偏光板（光学部材）内に設けられていない比較例６及び７は、ともに帯電防止性の評価が悪かった。
【図面の簡単な説明】
【０１０９】
【図１】本発明の積層光学製品の一例を説明するための断面模式図
【図２】本発明の光学表示装置の一例を説明するための断面模式図
【図３】実施形態１の光学表示装置の製造方法のフローチャート
【図４】実施形態１の光学表示装置の製造方法について説明するための図
【図５】実施形態１の光学表示装置の製造方法について説明するための図
【図６】実施形態２の切断方法および貼合方法の一例について説明するための図
【図７】実施形態３の切断方法および貼合方法の一例について説明するための図
【図８】実施形態４の切断方法および貼合方法の一例について説明するための図
【図９】実施形態５の搬送方法、切断方法および貼合方法の一例について説明するための図
【図１０】従来の光学表示装置の製造方法のフローチャート
【符号の説明】
【０１１０】
１      積層光学製品
１１    光学部材
１１ａ  偏光子
１１ｂ  第２偏光子保護フィルム
１１ｂ１  導電層
１１ｃ  第１偏光子保護フィルム
１２    離型フィルム
１２ａ  第２離型フィルム
１３    表面保護部材
１４    粘着剤層
１５    弱粘着剤層
１００  液晶表示装置
３０１  設置手段
３０２  搬送手段
３０３  欠点検査手段
３０４、６０４  切断手段
３０５、７０５  押圧ローラ
３０５１、７０５１  案内ローラ
３０６  吸着搬送手段
６０１  吸着固定装置
６０２  粘着テープ
７０１  キャリアフィルム
Ａ      液晶セル
Ｎ１    ナイフエッジ
Ｒ      複数のロールバー
【図１】
2009157363.tif 000004
【図２】
2009157363.tif 000005
【図３】
2009157363.tif 000006
【図４】
2009157363.tif 000007
【図５】
2009157363.tif 000008
【図６】
2009157363.tif 000009
【図７】
2009157363.tif 000010
【図８】
2009157363.tif 000011
【図９】
2009157363.tif 000012
【図１０】
2009157363.tif 000013